(57)【要約】【課題】円滑かつ適切に初期化を行うことによって、ディスプレイする映像の再現性を高めることができる放電ディスプレイパネルの駆動方法を提供すること。【解決手段】一つのフレームが時分割階調ディスプレイのための複数のサブフィールドＳＦ１…ＳＦ８に区分され、サブフィールド各々が初期化期間Ｒ１…Ｒ８、アドレス期間Ａ、及び維持期間Ｓを含む放電ディスプレイパネル１の駆動方法において、複数のサブフィールドＳＦ１…ＳＦ８のうち、最大階調加重値を有するサブフィールドの初期化期間の初期化駆動電力が、残りのサブフィールドそれぞれの初期化期間の初期化駆動電力より低いことを、特徴とする放電ディスプレイパネル１の駆動方法。【選択図】図１１
2007133361.tif 000002
【特許請求の範囲】
【請求項１】
一つのフレームが、時分割階調ディスプレイのために、複数のサブフィールドに区分され、前記複数のサブフィールド各々が、初期化期間と、アドレス期間と、維持期間と、を含む放電ディスプレイパネルの駆動方法において：
前記複数のサブフィールドのうち、最大階調加重値を有するサブフィールドの初期化期間の第２初期化駆動電力は、残りのサブフィールドそれぞれの初期化期間の第１初期化駆動電力より低いことを特徴とする、放電ディスプレイパネルの駆動方法。
【請求項２】
前記残りのサブフィールドそれぞれの初期化期間で、前記第１初期化駆動電力を連続して印加し、
前記最大階調加重値を有するサブフィールドの初期化期間で、前記第２初期化駆動電力を不連続して印加することを特徴とする、請求項１に記載の放電ディスプレイパネルの駆動方法。
【請求項３】
前記残りのサブフィールドそれぞれの初期化期間で、前記第１初期化駆動電力を連続して上昇させてから、連続して下降させ、
前記最大階調加重値を有するサブフィールドの初期化期間で、前記第２初期化駆動電力を不連続して上昇させてから、連続して下降させることを特徴とする、請求項２に記載の放電ディスプレイパネルの駆動方法。
【請求項４】
前記第２初期化駆動電力を不連続して印加する、前記最大階調加重値を有するサブフィールドの初期化期間で、
前記第２初期化駆動電力の印加を中断する中断期間が存在することを特徴とする、請求項２または３に記載の放電ディスプレイパネルの駆動方法。
【請求項５】
前記放電ディスプレイパネルは、
互いに対向離隔されて配置された、前面基板及び背面基板と、
前記前面基板及び背面基板の間に互いに交互に並んで形成された、第１ディスプレイ電極ライン及び第２ディスプレイ電極ラインと、
前記第１及び前記第２ディスプレイ電極ラインに対して交差するように形成された、アドレス電極ラインと、
を有し、
前記残りのサブフィールドそれぞれの初期化期間で、前記第２ディスプレイ電極ラインに印加される電圧を、連続して上昇させてから、連続して下降させ、
前記最大階調加重値を有するサブフィールドの初期化期間で、前記第２ディスプレイ電極ラインに印加される電圧を、不連続して上昇させてから、連続して下降させることを特徴とする、請求項３または４に記載の放電ディスプレイパネルの駆動方法。
【請求項６】
前記第２ディスプレイ電極ラインに印加される電圧を不連続して上昇させる、前記最大階調加重値を有するサブフィールドの初期化期間で、
前記第２ディスプレイ電極ラインへの電圧の印加を中断する前記中断期間が存在することを特徴とする、請求項５に記載の放電ディスプレイパネルの駆動方法。
【請求項７】
前記残りのサブフィールドそれぞれの初期化期間のうち、少なくとも１つのサブフィールドの前記初期化期間は、
前記第２ディスプレイ電極ラインに印加される電圧を、第１電圧まで連続して上昇させる、第１電圧上昇期間と、
前記第１ディスプレイ電極ラインに印加される電圧を、前記第１電圧より低い第２電圧に維持させた状態で、前記第２ディスプレイ電極ラインに印加される電圧を、前記第２電圧より低い第３電圧まで連続して下降させる、第３電圧下降期間と、
を含み、
前記残りのサブフィールドそれぞれの初期化期間のうち、他の少なくともつの１サブフィールドの前記初期化期間は、
前記第２ディスプレイ電極ラインに印加される電圧を、前記第２電圧まで連続して上昇させる、第２電圧上昇期間と、
前記第１ディスプレイ電極ラインに印加される電圧を、前記第２電圧に維持させた状態で、前記第２ディスプレイ電極ラインに印加される電圧を、前記第２電圧より低い第４電圧まで連続して下降させる、第４電圧下降期間と、
を含み、
前記最大階調加重値を有するサブフィールドの初期化期間は、
前記第２ディスプレイ電極ラインに印加される電圧を、前記第２電圧まで不連続して上昇させる、不連続第２電圧上昇期間と、
前記第１ディスプレイ電極ラインに印加される電圧を、前記第２電圧に維持させた状態で、前記第２ディスプレイ電極ラインに印加される電圧を、前記第４電圧まで連続して下降させる、前記第４電圧下降期間と、
を含むことを特徴とする、請求項５または６のいずれかに記載の放電ディスプレイパネルの駆動方法。
【請求項８】
前記最大階調加重値を有するサブフィールドの初期化期間の、前記不連続第２電圧上昇期間で、
前記第２ディスプレイ電極ラインへの電圧印加を中断する、前記中断期間が、存在することを特徴とする、請求項７に記載の放電ディスプレイパネルの駆動方法。
【請求項９】
前記複数のサブフィールドそれぞれの前記初期化期間は、
前記第１電圧上昇期間または前記第２電圧上昇期間または前記不連続第２電圧上昇期間の前に、前記第１ディスプレイ電極ラインに印加される電圧を、前記第２電圧まで連続して上昇させる第１電極電圧上昇期間を含むことを特徴とする、請求項７に記載の放電ディスプレイパネルの駆動方法。
【発明の詳細な説明】
【技術分野】
【０００１】
本発明は、放電ディスプレイパネルの駆動方法に関する。
【背景技術】
【０００２】
従来の放電ディスプレイ装置、例えば、特許文献１で開示されたプラズマディスプレイ装置では、時分割階調ディスプレイのために、一つのフレームが、複数のサブフィールドに区分され、複数のサブフィールドの各々が、初期化期間と、アドレス期間と、維持期間と、を含む。
【０００３】
複数サブフィールドの各々は、固有な階調加重値を有し、この階調加重値に比例して維持期間が設定される。例えば、一つのフレームが、８つのサブフィールドを含むことによって、２５６階調を実現する場合、第１サブフィールドの維持期間には、２０に相当する期間１Ｔが、第２サブフィールドの維持期間には２１に相当する期間２Ｔが、第３サブフィールドの維持期間には２２に相当する期間４Ｔが、第４サブフィールドの維持期間には２３に相当する期間８Ｔが、第５サブフィールドの維持期間には２４に相当する期間１６Ｔが、第６サブフィールドの維持期間には２５に相当する期間３２Ｔが、第７サブフィールドの維持期間には２６に相当する期間６４Ｔが、そして、最大階調加重値を有する第８サブフィールドの維持期間には２７に相当する期間１２８Ｔが、各々設定される。
【０００４】
【特許文献１】米国特許第５５４１６１８号明細書
【発明の開示】
【発明が解決しようとする課題】
【０００５】
しかし、従来の放電ディスプレイパネルによれば、第８サブフィールドのように、最大階調加重値を有するサブフィールドでの作動は、映像の再現性に最も大きい影響を及ぼす。しかし、第８サブフィールドの直前の、第７サブフィールドの維持放電を行う期間は長い。よって、最大階調加重値を有するサブフィールドの開始時点では、適正な量を超えた量の壁電荷が、各電極ライン周囲に形成されている。よって、第８サブフィールドのような、最大階調加重値を有するサブフィールドでの初期化動作が、適切に行われない問題がある。
【０００６】
すなわち、第７サブフィールドの維持放電による、過剰な壁電荷は、過剰な壁電圧を形成すると同時に、続く初期化期間での放電開始電圧を下げる。過剰な壁電圧の形成と放電開始電圧の降下によって、第８サブフィールドの初期化期間で、適正な初期化のための放電がおこなわれず、強放電がおこる。よって、初期化動作の終了時点で、続くアドレス期間のアドレス放電に最適な、壁電荷の状態を、各電極ライン周囲に形成することができない。よって、アドレス期間での誤放電を招くことになる。
【０００７】
このように最大階調加重値を有するサブフィールドでの初期化動作が、適切に行われていない場合、後続するアドレス期間での動作が正確でなくなり、映像の再現性に悪い影響を及ぼす。
【０００８】
そこで、本発明は、上記問題に鑑みてなされたものであり、本発明の目的とするところは、円滑かつ適切に初期化を行うことによって、ディスプレイする映像の再現性を高めることが可能な、新規かつ改良された放電ディスプレイパネルの駆動方法を提供することにある。
【課題を解決するための手段】
【０００９】
上記課題を解決するために、本発明のある観点によれば、一つのフレームが、時分割階調ディスプレイのために、複数のサブフィールドに区分され、複数のサブフィールド各々が、初期化期間と、アドレス期間と、維持期間と、を含む放電ディスプレイパネルの駆動方法において、複数のサブフィールドのうち、最大階調加重値を有するサブフィールドの初期化期間（期間ｔ６〜ｔ１０）の第２初期化駆動電力は、残りのサブフィールドそれぞれの初期化期間（期間ｔ２〜ｔ４）の第１初期化駆動電力より低いことを特徴とする、放電ディスプレイパネルの駆動方法が提供される。
【００１０】
上記残りのサブフィールドそれぞれの初期化期間（期間ｔ２〜ｔ４）で、第１初期化駆動電力を連続して印加し、上記最大階調加重値を有するサブフィールドの初期化期間（期間ｔ６〜ｔ１０）で、第２初期化駆動電力を不連続して印加してもよい（期間ｔ６A〜ｔ６B）。
【００１１】
上記残りのサブフィールドそれぞれの初期化期間（期間ｔ２〜ｔ４）で、第１初期化駆動電力を連続して上昇させてから（期間ｔ２〜ｔ３）、連続して下降させ（期間ｔ３〜ｔ４）、上記最大階調加重値を有するサブフィールドの初期化期間（期間ｔ６〜ｔ１０）で、第２初期化駆動電力を不連続して上昇させてから（期間ｔ６〜ｔ７。ただし期間ｔ６A〜ｔ６Bを含む。）、連続して下降させてもよい（期間ｔ８〜ｔ１０）。
【００１２】
上記第２初期化駆動電力を不連続して印加する、上記最大階調加重値を有するサブフィールドの初期化期間（期間ｔ６〜ｔ１０）で、第２初期化駆動電力の印加を中断する中断期間（期間ｔ６A〜ｔ６B）が存在してもよい。
【００１３】
上記放電ディスプレイパネルは、互いに対向離隔されて配置された、前面基板及び背面基板と、前面基板及び背面基板の間に互いに交互に並んで形成された、第１ディスプレイ電極ライン及び第２ディスプレイ電極ラインと、第１及び第２ディスプレイ電極ラインに対して交差するように形成された、アドレス電極ラインと、を有し、上記残りのサブフィールドそれぞれの初期化期間（期間ｔ２〜ｔ４）で、第２ディスプレイ電極ラインに印加される電圧を、連続して上昇させてから（期間ｔ２〜ｔ３）、連続して下降させ（期間ｔ３〜ｔ４）、上記最大階調加重値を有するサブフィールドの初期化期間（期間ｔ６〜ｔ１０）で、第２ディスプレイ電極ラインに印加される電圧を、不連続して上昇させてから（期間ｔ６〜ｔ７。ただし期間ｔ６A〜ｔ６Bを含む。）、連続して下降させてもよい（期間ｔ８〜ｔ１０）。
【００１４】
上記第２ディスプレイ電極ラインに印加される電圧を不連続して上昇させる、上記最大階調加重値を有するサブフィールドの初期化期間（期間ｔ６〜ｔ７）で、第２ディスプレイ電極ラインへの電圧の印加を中断する中断期間が存在してもよい（期間ｔ６A〜ｔ６B）。
【００１５】
上記残りのサブフィールドそれぞれの初期化期間のうち、少なくとも１つのサブフィールドの初期化期間は、第２ディスプレイ電極ラインに印加される電圧を、第１電圧まで連続して上昇させる、第１電圧上昇期間と、第１ディスプレイ電極ラインに印加される電圧を、第１電圧より低い第２電圧に維持させた状態で、第２ディスプレイ電極ラインに印加される電圧を、第２電圧より低い第３電圧まで連続して下降させる、第３電圧下降期間と、を含み、上記残りのサブフィールドそれぞれの初期化期間のうち、他の少なくともつの１サブフィールドの初期化期間は、第２ディスプレイ電極ラインに印加される電圧を、第２電圧まで連続して上昇させる、第２電圧上昇期間と、第１ディスプレイ電極ラインに印加される電圧を、第２電圧に維持させた状態で、第２ディスプレイ電極ラインに印加される電圧を、第２電圧より低い第４電圧まで連続して下降させる、第４電圧下降期間と、最大階調加重値を有するサブフィールドの初期化期間は、第２ディスプレイ電極ラインに印加される電圧を、第２電圧まで不連続して上昇させる、不連続第２電圧上昇期間と、第１ディスプレイ電極ラインに印加される電圧を、第２電圧に維持させた状態で、第２ディスプレイ電極ラインに印加される電圧を、第４電圧まで連続して下降させる、第４電圧下降期間と、を含んでもよい。
【００１６】
上記最大階調加重値を有するサブフィールドの初期化期間の、不連続第２電圧上昇期間で、第２ディスプレイ電極ラインへの電圧印加を中断する、中断期間が、存在してもよい。
【００１７】
上記複数のサブフィールドそれぞれの初期化期間は、第１電圧上昇期間または第２電圧上昇期間または不連続第２電圧上昇期間の前に、第１ディスプレイ電極ラインに印加される電圧を、第２電圧まで連続して上昇させる第１電極電圧上昇期間を含んでもよい。
【００１８】
上記本発明による放電ディスプレイパネルの駆動方法によれば、最大階調加重値を有するサブフィールドでの初期化駆動電力を、最も低くする。よって最大階調加重値を有するサブフィールドでの初期化動作が適切におこなわれる。なぜならば、最大階調加重値を有するサブフィールドの直前のサブフィールドの維持放電期間が長いことにより、最大階調加重値を有するサブフィールドの開始時点で、適正な量を超えた量の壁電荷が各電極ライン周囲に形成されているからである。
【００１９】
すなわち、最大階調加重値を有するサブフィールドの直前のサブフィールドの維持放電による、上記過剰な壁電荷が、過剰な壁電圧を形成すると同時に、続く初期化期間での放電開始電圧を下げる。しかし、上記壁電圧と、最大階調加重値を有するサブフィールドの低くなった初期化駆動電力と、の和の電圧が、上記降下された放電開始電圧を上回ることによって、初期化のための放電が、適正におこなわれる。よって、強放電をおこさずに、適正な初期化放電がおこなわれ、続くアドレス期間でのアドレス放電に最適な状態の壁電荷を形成することにより、アドレス動作が適正におこなわれる。
【発明の効果】
【００２０】
以上説明したように、本発明による放電ディスプレイパネルの駆動方法によれば、円滑かつ適切に初期化を行うことによって、ディスプレイする映像の再現性を高めることができる。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
まず、図１を参照して、本発明の実施形態に係る放電ディスプレイパネルの一例である、３電極面放電方式のプラズマディスプレイパネル（以下では、ＰＤＰとする）１の構造について説明する。
【００２３】
図１は、本発明の実施形態に係る３電極面放電方式のＰＤＰ１の構成を示す内部斜視図である。図２は、同実施形態に係るＰＤＰのディスプレイセルの例を示す断面図である。
【００２４】
図１及び２に示すように、本実施形態に係る３電極面放電ＰＤＰ１の前面及び背面ガラス基板１０、１３の間には、複数のアドレス電極ライン（ＡＲ１…ＡＢｍ）、誘電体層１１、１５と、複数の第１ディスプレイ電極ラインとして複数のＸ電極ライン（Ｘ１…Ｘｎ）と、複数の第２ディスプレイ電極ラインとして複数のＹ電極ライン（Ｙ１…Ｙｎ）と、蛍光体１６と、隔壁１７と、保護層１２と、放電空間１４と、が備えられる。
【００２５】
複数のアドレス電極ラインＡＲ１…ＡＢｍは、背面ガラス基板１３の上面（図１の上方に位置する面のこと。）に一定したパターン（縞模様パターン）で形成される。
【００２６】
下部誘電体層１５は、複数のアドレス電極ラインＡＲ１…ＡＢｍと、背面ガラス基板１３とに、背面ガラス基板１３の上面方向から、全面に塗布される。下部誘電体層１５の上面には、隔壁１７がアドレス電極ラインＡＲ１…ＡＢｍと平行に形成される。この隔壁１７は、各ディスプレイセルの放電領域を区画して、各ディスプレイセル間の光学的干渉（ｃｒｏｓｓ  ｔａｌｋ）を防止する機能を果たす。蛍光層１６は、隔壁１７の間及び隔壁１７の側面に塗布される。
【００２７】
複数の第１ディスプレイ電極ラインとしての複数のＸ電極ラインＸ１…Ｘｎと、複数の第２ディスプレイ電極ラインとしての複数のＹ電極ラインＹ１…Ｙｎとは、複数のアドレス電極ラインＡＲ１…ＡＢｍと交差する方向に、前面ガラス基板１０の下面（図１の下方に位置する面のこと。）に交互に並んで、形成される。複数のＸ電極ラインＸ１…Ｘｎ及び複数のＹ電極ラインＹ１…Ｙｎと、複数のアドレス電極ラインＡＲ１…ＡＢｍと、の各交差点は、各々、複数のディスプレイセルを設定する。
【００２８】
各Ｘ電極ラインＸ１…Ｘｎと、各Ｙ電極ラインＹ１…Ｙｎとは、それぞれ、例えば、ＩＴＯ（Ｉｎｄｉｕｍ  Ｔｉｎ  Ｏｘｉｄｅ）のような透明な導電性材質の透明電極ライン（図２のＸｎａ、Ｙｎａ）と、電導度を高めるための金属電極ライン（図２のＸｎｂ、Ｙｎｂ）とを結合して、形成することができる。
【００２９】
前面誘電体層１１は、複数のＸ電極ラインＸ１…Ｘｎと、複数のＹ電極ラインＹ１…Ｙｎと、前面ガラス基板１０とに、前面ガラス基板１０の上面方向から、全面に塗布されて形成される。強い電界からパネル１を保護するための、保護層１２（例えば、一酸化マグネシウム（ＭｇＯ）層。）は、前面誘電体層１１の下面に全面に塗布されて形成される。また、隔壁１７及び蛍光体１６と、保護層１２と、の間には、放電空間１４が形成される。放電空間１４には、プラズマ形成用ガスが密封される。
【００３０】
上記ＰＤＰ１ような放電ディスプレイパネルに適用される駆動方法では、初期化（ｉｎｉｔｉａｌｉｚｉｎｇ）、アドレス（ａｄｄｒｅｓｓｉｎｇ）、及び維持（ｄｉｓｃｈａｒｇｅ−ｓｕｓｔａｉｎｉｎｇ）期間が、一つのサブフィールドで、順次に行われる。
【００３１】
初期化期間では、全てのディスプレイセルの壁電荷の状態を、均一にする。アドレス期間では、選択されたディスプレイセルに、所定の壁電圧（各電極ラインに形成される壁電化による電圧。）が生成される。維持期間では、全てのＸＹ電極ライン対（Ｘ電極ラインＸ１…Ｘｎと、それに対応するＹ電極ラインＹ１…Ｙｎとの対。）に所定の交流電圧を印加することにより、アドレス期間で上記壁電圧が形成されたディスプレイセルに、維持放電を起こす。この維持期間において、維持放電を起こす選択されたディスプレイセルの放電空間１４（ガス層）でプラズマが形成され、その紫外線放射によって蛍光層１６が励起されて、光が発生する。
【００３２】
次に、図３を参照して、本実施形態に係る放電ディスプレイパネルの駆動装置について説明する。
【００３３】
図３は、本実施形態に係る放電ディスプレイパネルの駆動装置を示すブロック図である。図３に示すように、図１の放電ディスプレイパネルの駆動装置は、映像処理部６６と、制御部６２と、アドレス駆動部６３と、Ｘ駆動部６４と、Ｙ駆動部６５と、を含む。
【００３４】
映像処理部６６は、外部映像信号を変換して、内部映像信号（例えば、各々８ビットの赤色Ｒ、緑色Ｇ及び青色Ｂの映像データと、クロック信号と、垂直及び水平同期信号。）を発生させ、上記内部映像信号を制御部６２に送信する。また、映像処理部６６は、外部映像信号が、アナログ信号の場合、アナログ信号を、デジタル信号に変換して、上記内部映像信号を発生させる。
【００３５】
制御部６２は、映像処理部６６からの内部映像信号によって、駆動制御信号ＳＡ、ＳＹ、ＳＸを発生させ、それぞれ、アドレス駆動部６３、Ｙ駆動部６５、Ｘ駆動部６４に送信する。
【００３６】
アドレス駆動部６３は、制御部６２からの駆動制御信号ＳＡ、ＳＹ、ＳＸのうち、アドレス信号ＳＡを受信し、処理して、表示データ信号を発生させ、発生した表示データ信号を、アドレス電極ラインＡＲ１…ＡＢｍに印加する。
【００３７】
Ｘ駆動部６４は、制御部６２からの駆動制御信号ＳＡ、ＳＹ、ＳＸのうち、Ｘ駆動制御信号ＳＸを受信し、処理して、Ｘ駆動制御信号ＳＡ（維持パルス）を発生させ、発生したＸ駆動制御信号ＳＡを、Ｘ電極ラインＸ１…Ｘｎに印加する。
【００３８】
Ｙ駆動部６５は、制御部６２からの駆動制御信号ＳＡ、ＳＹ、ＳＸのうち、Ｙ駆動制御信号ＳＹを受信し、処理して、Ｙ駆動制御信号ＳＹ（走査パルス又は維持パルス）を発生させ、発生したＹ駆動制御信号ＳＹを、Ｙ電極ラインＹ１…Ｙｎに印加する。
【００３９】
次に、図４を参照して、本実施形態に係る放電ディスプレイパネルの駆動方法について説明する。
【００４０】
図４は、本実施形態に係る放電ディスプレイパネルの駆動方法を示すタイミング図である。図４に示すように、全ての一つのフレームは、時分割階調表示を実現するために、８個のサブフィールドＳＦ１…ＳＦ８に分割される。また、各サブフィールドＳＦ１…ＳＦ８は、初期化期間Ｒ１…Ｒ８と、アドレス期間Ａ１…Ａ８と、及び維持期間Ｓ１…Ｓ８と、に分割される。
【００４１】
各初期化期間Ｒ１…Ｒ８では、放電のための全てのディスプレイセルの壁電荷の状態は、均一にされ、次のアドレス期間Ａ１…Ａ８で行われるアドレス放電に、最適化される。
【００４２】
各アドレス期間Ａ１…Ａ８では、各Ｙ電極ラインＹ１…Ｙｎに、相当する走査パルスが、順次に、印加されると同時に、複数のアドレス電極ライン（図１のＡＲ１…ＡＢｍ）に表示データ信号が、選択的に、印加される。よって、走査パルスが印加される間に、高いレベルの表示データ信号が印加された、放電セルでは、アドレス放電がおこり、壁電荷が形成される。また、走査パルスが印加される間に、高いレベルの表示データ信号が印加されない、放電セルでは、アドレス放電がおこらず、壁電荷は形成されない。
【００４３】
各維持期間Ｓ１…Ｓ８では、全てのＹ電極ラインＹ１…Ｙｎと、全てのＸ電極ラインＸ１…Ｘｎとに維持パルスが交互に印加され、アドレス期間Ａ１…Ａ８で壁電荷の形成された放電セルは、表示のための維持放電を起こす。したがって、放電ディスプレイパネルの輝度は、一つのフレームに占める維持期間Ｓ１…Ｓ８の長さに比例する。一つのフレームに占める維持期間Ｓ１…Ｓ８の長さの合計は、２５５Ｔ（Ｔは、単位期間とする。）である。したがって、一つのフレームで１回も表示されない場合を含んで、２５６階調を表示しうる。
【００４４】
ここで、第１サブフィールドＳＦ１の維持期間Ｓ１には２０に相当する期間１Ｔが、第２サブフィールドＳＦ２の維持期間Ｓ２には２１に相当する期間２Ｔが、第３サブフィールドＳＦ３の維持期間Ｓ３には２２に相当する期間４Ｔが、第４サブフィールドＳＦ４の維持期間Ｓ４には２３に相当する期間８Ｔが、第５サブフィールドＳＦ５の維持期間Ｓ５には２４に相当する期間１６Ｔが、第６サブフィールドＳＦ６の維持期間Ｓ６には２５に相当する期間３２Ｔが、第７サブフィールドＳＦ７の維持期間Ｓ７には２６に相当する期間６４Ｔが、そして第８サブフィールドＳＦ８の維持期間Ｓ８には２７に相当する期間１２８Ｔが、各々設定される。
【００４５】
これにより、８個のサブフィールドのうち表示されるサブフィールドを適切に選択すれば、全てのサブフィールドを表示させない０（零）階調を含めて、合計２５６階調のディスプレイ表示が行われる。
【００４６】
ここで、各初期化期間Ｒ１…Ｒ８において、８個のサブフィールドのうち、最大階調加重値を有する第８サブフィールドＳＦ８の初期化駆動電力（第２初期化駆動電力）を、残りの第１〜第７サブフィールドＳＦ１〜ＳＦ７それぞれの初期化駆動電力（第１初期化駆動電力）より低くする。
【００４７】
上記、初期化駆動電力を低くすることによって、第８サブフィールドＳＦ８での初期化動作は適切におこなわれる。なぜならば、第８サブフィールドＳＦ８の直前の第７サブフィールドＳＦ７の維持放電期間が長いことにより、最大階調加重値を有するサブフィールドの開始時点で、適正な量を超えた量の壁電荷が各電極ライン周囲に形成されれいるからである。
【００４８】
すなわち、第８サブフィールドＳＦ８の直前の第７サブフィールドＳＦ７の維持放電による、上記過剰な壁電荷が、過剰な壁電圧を形成すると同時に、続く初期化期間Ｓ８での放電開始電圧を下げる。しかし、上記壁電圧と、第８サブフィールドＳＦ８の低くなった初期化駆動電力と、の和の電圧が、上記降下された放電開始電圧を上回ることによって、初期化のための放電が、適正におこなわれる。よって、強放電をおこさずに、適正な初期化放電がおこなわれ、続くアドレス期間Ａ８でのアドレス放電に最適な状態の壁電荷を形成することにより、アドレス動作が適正におこなわれる。
【００４９】
このように最大階調加重値を有するサブフィールドＳＦ８での初期化動作が、正確に行われることによって、後続するアドレス期間Ａ８での作動が、さらに正確になる。すなわち、最大階調加重値を有するサブフィールドＳＦ８での正確な作動によって映像の再現性を、高めることができる。
【００５０】
次に、図５〜図９を参照して、上記初期化電力の駆動波形について、より詳細に説明する。そこで、以下では、上記第１〜第７サブフィールドＳＦ１〜ＳＦ７の初期化駆動電力及び当該初期化駆動電力より低い上記第８サブフィールドＳＦ８の初期化駆動電力を区別して説明する。そのために、それぞれの初期化期間を、第１タイプの初期化期間ＲＡ及び第２タイプの初期化期間ＲＢとする。（第１タイプの初期化期間ＲＡは、各請求項の「残りのサブフィールドそれぞれの初期化期間」に対応する。また、第２タイプの初期化期間ＲＢは、各「最大階調加重値を有するサブフィールドの初期化期間」又は「他の少なくともつの１サブフィールドの前記初期化期間」に対応する。）また、第１タイプの初期化期間ＲＡ及び第２タイプの初期化期間ＲＢに対応するサブフィールドを、それぞれ、サブフィールドＳＦＡと、サブフィールドＳＦＢとする。よって以下では、第１タイプの初期化期間ＲＡ及び第２タイプの初期化期間ＲＢそれぞれの駆動波形を説明することで、上記初期化電力の駆動波形について、より詳細に説明する。
【００５１】
図５は、サブフィールドＳＦＡと、サブフィールドＳＦＢとで、放電ディスプレイパネルの各電極ラインに印加される駆動信号を示す波形図である。ただし、サブフィールドＳＦＢの、アドレス期間Ａ及び維持期間Ｓでの駆動波形は、サブフィールドＳＦＡのものと同じである。
【００５２】
図５において、参照符号ＳＡＲ１．．ＡＢｍは、各アドレス電極ライン（図１のＡＲ１、ＡＧ１、…、ＡＧｍ、ＡＢｍ）に印加される駆動信号（表示データ信号）を示す。参照符号ＳＸ１．．ＸｎはＸ電極ライン（図１中のＸ１…Ｘｎ）に印加される駆動信号（維持パルス）を示す。また、参照符号ＳＹ１、ＳＹ２、…、ＳＹｎは、各Ｙ電極ライン（図１のＹ１、…Ｙｎ）に印加される駆動信号（維持パルス又は走査パルス）を示す。
【００５３】
図６は、図５中のｔ３時点での、いずれか１つのディスプレイセルの壁電荷分布を示す断面図である。図７は、図５中のｔ４時点でのディスプレイセルの壁電荷分布を示す断面図である。図８は、図５中のｔ８時点でのディスプレイセルの壁電荷分布を示す断面図である。図９は、図５中のｔ１０時点でのディスプレイセルの壁電荷分布を示す断面図である。図６〜９で、図２と同じ参照符号は、同じ機能の対象を示す。
【００５４】
まず、以下で、図５〜図７を参照して、サブフィールドＳＦＡでの、本実施形態に係る放電ディスプレイパネルの各電極ラインに印加される駆動信号を、説明する。
【００５５】
サブフィールドＳＦＡの第１タイプの初期化期間ＲＡは、第１期間ｔ１〜ｔ２（第１電極電圧上昇期間）と、第２期間ｔ２〜ｔ３（第１電圧上昇期間）と、第３期間ｔ３〜ｔ４（第３電圧下降期間）と、で構成される。
【００５６】
第１期間ｔ１〜ｔ２（第１電極電圧上昇期間）では、まずＸ電極ラインＸ１…Ｘｎ（第１ディスプレイ電極ライン）に印加される電圧を、接地電圧ＶＧから第２電圧ＶＳまで連続して、上昇させる。ここで、Ｙ電極ラインＹ１…Ｙｎ（第２ディスプレイ電極ライン）と、アドレス電極ラインＡＲ１…ＡＢｍと、には接地電圧ＶＧが印加される。これにより、Ｘ電極ラインＸ１…Ｘｎ及びＹ電極ラインＹ１…Ｙｎの間と、Ｘ電極ラインＸ１…Ｘｎ及びアドレス電極ラインＡ１…Ａｍの間と、に弱い放電が起こりつつ、Ｘ電極ラインＸ１…Ｘｎ周囲に負極性の壁電荷が、形成される。
【００５７】
第２期間ｔ２〜ｔ３（第１電圧上昇期間）では、Ｙ電極ラインＹ１…Ｙｎに印加する電圧を、第２電圧ＶＳから、第２電圧ＶＳより第５電圧ＶＳＥＴほど高い、第１電圧（ＶＳＥＴ＋ＶＳ）まで連続して上昇させる。ここで、Ｘ電極ラインＸ１…Ｘｎと、アドレス電極ラインＡＲ１…ＡＢｍと、には接地電圧ＶＧが、印加される。これにより、Ｙ電極ラインＹ１…Ｙｎ及びＸ電極ラインＸ１…Ｘｎの間に、弱い放電が起こる一方、Ｙ電極ラインＹ１…Ｙｎ及びアドレス電極ラインＡＲ１…ＡＢｍの間に、さらに弱い放電が起こる。
【００５８】
ここで、Ｙ電極ラインＹ１…Ｙｎとアドレス電極ラインＡＲ１…ＡＢｍ間の放電より、Ｙ電極ラインＹ１…ＹｎとＸ電極ラインＸ１…Ｘｎ間の放電の方が強くなる。なぜなら、Ｘ電極ラインＸ１…Ｘｎ周囲に、負極性の壁電荷が形成されているからである。
【００５９】
上記放電により、Ｙ電極ラインＹ１…Ｙｎ周囲には、多くの負極性壁電荷が形成され、Ｘ電極ラインＸ１…Ｘｎ周囲には正極性壁電荷が形成され、アドレス電極ラインＡＲ１…ＡＢｍ周囲には、少量の正極性の壁電荷が形成される（図６参照）。
【００６０】
第３期間ｔ３〜ｔ４（第３電圧下降期間）では、Ｘ電極ラインＸ１…Ｘｎに印加される電圧が第２電圧ＶＳで維持された状態で、Ｙ電極ラインＹ１…Ｙｎに印加される電圧を、第２電圧ＶＳから、接地電圧ＶＧより低い第３電圧ＶＮＦまで、連続して下降させる。ここで、アドレス電極ラインＡＲ１…ＡＢｍには、接地電圧ＶＧが印加される。これにより、Ｘ電極ラインＸ１…ＸｎとＹ電極ラインＹ１…Ｙｎ間で弱い放電がおき、Ｙ電極ラインＹ１…Ｙｎ周囲の負極性の壁電荷の一部が、Ｘ電極ラインＸ１…Ｘｎ周囲に移動する（図７参照）。
【００６１】
これにより、Ｘ電極ラインＸ１…Ｘｎの壁電圧（ｗａｌｌ  ｖｏｌｔａｇｅ）は、アドレス電極ラインＡＲ１…ＡＢｍの壁電圧より低くなり、Ｙ電極ラインＹ１…Ｙｎの壁電圧より高くなる。
【００６２】
上記壁電圧によって、後続するアドレス期間Ａで、選択されたアドレス電極ラインＡＲ１…ＡＢｍと、Ｙ電極ラインＹ１…Ｙｎと、の間のアドレス放電に要求される電圧（ＶＡ−ＶＳＣ＿Ｌ）を低くできる。一方、全てのアドレス電極ラインＡＲ１…ＡＢｍは、接地電圧ＶＧで印加されるので、アドレス電極ラインＡＲ１…ＡＢｍは、Ｘ電極ラインＸ１…ＸｎとＹ電極ラインＹ１…Ｙｎに対して放電を行い、この放電によってアドレス電極ラインＡＲ１…ＡＢｍ周囲の正極性の壁電荷が消滅する（図７参照）。
【００６３】
続くアドレス期間Ａについて説明する。アドレス期間Ａでは、点灯させるディスプレイセルを選択する。上記選択は、アドレス電極ラインＡＲ１…ＡＢｍに表示データ信号ＶＡを印加し、第２電圧ＶＳより低い第６電圧ＶＳＣ＿Ｈでバイアスされた、Ｙ電極ラインＹ１…Ｙｎに、接地電圧ＶＧより低い、第７電圧ＶＳＣ＿Ｌの走査パルスを、順次に、印加することによって、行う。
【００６４】
また、上記ディスプレイセルを選択する際、各アドレス電極ラインＡＲ１…ＡＢｍに印加する表示データ信号は、点灯させるディスプレイセルに対応した、アドレス電極ラインＡＲ１…ＡＢｍには、正極性アドレス電圧ＶＡを印加し、点灯させないディスプレイセルには、接地電圧ＶＧを印加する。
【００６５】
上記により、接地電圧ＶＧの走査パルスが印加される間に、正極性アドレス電圧ＶＡの表示データ信号が印加されれば、点灯されるべく選択されたディスプレイセルでアドレス放電によって壁電荷が形成される。また、選択されないディスプレイセルでは、アドレス放電は起こらず、壁電荷は形成されない。ここで、さらに正確で効果的なアドレス放電をさせるために、Ｘ電極ラインＸ１…Ｘｎに第２電圧ＶＳを印加し得る。
【００６６】
また、上記アドレス期間Ａに続く維持期間Ｓでは、全てのＹ電極ラインＹ１…Ｙｎと、全てのＸ電極ラインＸ１…Ｘｎとに、第２電圧ＶＳの維持パルスを、交互に印加し、アドレス期間Ａで壁電荷が形成されたディスプレイセルで、維持放電を起こす。
【００６７】
次に、以下で、図５と、図８と、図９と、を参照して、図５中のサブフィールドＳＦＢでの、本実施形態に係る放電ディスプレイパネルの各電極ラインに印加される駆動信号を説明する。
【００６８】
サブフィールドＳＦＢの初期化期間ＲＢは、第４期間ｔ５〜ｔ６（第１電極電圧上昇期間）、第５期間ｔ６〜ｔ７（第２電圧上昇期間）と、第６期間ｔ７〜ｔ８（中間期間）と、第７期間ｔ８〜ｔ１０（第４電圧下降期間）と、で構成される。
【００６９】
第４期間ｔ５〜ｔ６（第１電極電圧上昇期間）では、まずＸ電極ラインＸ１…Ｘｎに印加する電圧を、接地電圧ＶＧから第２電圧ＶＳまで連続して上昇させる。ここで、Ｙ電極ラインＹ１…Ｙｎとアドレス電極ラインＡＲ１…ＡＢｍには、接地電圧ＶＧを印加する。これにより、サブフィールドＳＦＡの維持期間Ｓで、維持放電を行ったディスプレイセルにおいて、Ｘ電極ラインＸ１…Ｘｎ及びＹ電極ラインＹ１…Ｙｎの間と、Ｘ電極ラインＸ１…Ｘｎ及びアドレス電極ラインＡ１…Ａｍとの間に、弱い放電が起こりつつ、Ｘ電極ラインＸ１…Ｘｎ周囲に負極性の壁電荷が形成される。
【００７０】
第５期間ｔ６〜ｔ７（第２電圧上昇期間）で、Ｙ電極ラインＹ１…Ｙｎに印加する電圧を、接地電圧ＶＧから、第１電圧（ＶＳＥＴ＋ＶＳ）より低い第２電圧ＶＳまで上昇させる。ここで、Ｘ電極ラインＸ１…Ｘｎとアドレス電極ラインＡＲ１…ＡＢｍには、接地電圧ＶＧを印加する。
【００７１】
Ｙ電極ラインＹ１…Ｙｎに印加する電圧を、第１電圧（ＶＳＥＴ＋ＶＳ）より低い、第２電圧ＶＳまで上昇させることにより、駆動電圧は、サブフィールドＳＦＡより全体的に低くなる。これにより、直前のサブフィールドの維持期間Ｓで、維持放電を行ったディスプレイセルのＹ電極ラインＹ１…Ｙｎ周囲には負極性壁電荷が多く形成され、Ｘ電極ラインＸ１…Ｘｎ周囲には正極性の壁電荷が形成され、アドレス電極ラインＡＲ１…ＡＢｍ周囲には正極性の壁電荷が、少量形成される（図８参照）。
【００７２】
ここで、サブフィールドＳＦＢを最大階調加重値を有するサブフィールドＳＦ８に適応する場合には、第５期間ｔ６〜ｔ７（第２電圧上昇期間）において、Ｙ電極ラインＹ１…Ｙｎに印加する電圧を、接地電圧ＶＧから第２電圧ＶＳまで、不連続に上昇させる（すなわち、第２電圧上昇期間として、不連続第２電圧上昇期間を使用する。）ことで、駆動電力をさらに低くする。（図１１参照。より詳細に後述する。）駆動電圧を低くすることにより、最大階調加重値を有する第８サブフィールドＳＦ８の初期化動作が適切に行われる。なぜなら、第８サブフィールドＳＦ８の直前の、サブフィールドＳＦ７の維持放電期間Ｓ７が長いため、第８サブフィールドＳＦ８の開始時点（ｔ５）では、適正な量を超えた量の壁電荷が、各電極ライン周囲に形成されているからである。
【００７３】
すなわち、第８サブフィールドＳＦ８の直前の第７サブフィールドＳＦ７の維持放電による、上記過剰な壁電荷が、過剰な壁電圧を形成すると同時に、続く初期化期間Ｓ８での放電開始電圧を下げる。しかし、上記壁電圧と、第８サブフィールドＳＦ８の低くなった初期化駆動電力と、の和の電圧が、上記降下された放電開始電圧を上回ることによって、初期化のための放電が、適正におこなわれる。よって、強放電をおこさずに、適正な初期化放電がおこなわれ、続くアドレス期間Ａ８でのアドレス放電に最適な状態の壁電荷を形成することにより、アドレス動作が適正におこなわれる。
【００７４】
このように最大階調加重値を有するサブフィールドＳＦ８での初期化動作が正確に行われることによって、後続するアドレス期間Ａ８での動作がさらに正確になる。すなわち、最大階調加重値を有するサブフィールドＳＦ８での正確な動作状態によって映像の再現性が高まりうる。
【００７５】
また、続く第６期間ｔ７〜ｔ８（中間期間）では、Ｙ電極ラインＹ１…Ｙｎに印加される電圧が第２電圧ＶＳに維持されることによって、各電極ラインの壁電荷の状態は、適切に安定化され得る。
【００７６】
第７期間ｔ８〜ｔ１０（第４電圧下降期間）では、Ｘ電極ラインＸ１…Ｘｎに印加する電圧を、第２電圧ＶＳに維持させた状態で、Ｙ電極ラインＹ１…Ｙｎに印加する電圧を、第２電圧ＶＳから、接地電圧ＶＧより低い第７電圧ＶＳＣ＿Ｌ（請求項７の第４電圧の一例。）まで、連続して下降させる。ここで、アドレス電極ラインＡＲ１…ＡＢｍに、接地電圧ＶＧを印加する。これにより、Ｘ電極ラインＸ１…Ｘｎと、Ｙ電極ラインＹ１…Ｙｎと、の間の弱い放電によって、Ｙ電極ラインＹ１…Ｙｎ周囲の負極性の壁電荷の一部が、Ｘ電極ラインＸ１…Ｘｎ周囲に移動する（図９参照）。よって、Ｘ電極ラインＸ１…Ｘｎの壁電圧（ｗａｌｌ  ｖｏｌｔａｇｅ）は、アドレス電極ラインＡＲ１…ＡＢｍの壁電圧より低く、Ｙ電極ラインＹ１…Ｙｎの壁電圧より高まる。よって、後続するアドレス期間Ａで、選択されたアドレス電極ラインと、Ｙ電極ラインと、の間の対向放電に要求される電圧、即ち、アドレス放電に要求される電圧（ＶＡ−ＶＳＣ＿Ｌ）を低くできる。一方、全てのアドレス電極ラインＡＲ１…ＡＢｍには、接地電圧ＶＧが印加されるので、アドレス電極ラインＡＲ１…ＡＢｍは、Ｘ電極ラインＸ１…ＸｎとＹ電極ラインＹ１…Ｙｎとに対して放電を行い、この放電によってアドレス電極ラインＡＲ１…ＡＢｍ周囲の正極性の壁電荷が、消滅する（図９参照）。
【００７７】
よって、上記駆動信号により、サブフィールドＳＦＢでの初期化動作を、円滑かつ適切に行うことができる。
【００７８】
次に、図１０を参照して、各サブフィールドの直前のサブフィールドの維持期間Ｓの長さに応じて、上記２つのタイプの初期化期間ＲＡ、ＲＢを、各サブフィールドの初期化期間に適用することによって、より円滑かつ適切に初期化を行う、本実施形態に係る放電ディスプレイパネルの駆動方法について、説明する。
【００７９】
図１０は、図５の上記２つのタイプの初期化期間ＲＡ、ＲＢが、一つのフレームの各サブフィールドで、適用される例を示す図面である。
【００８０】
図５及び１０に示すように、直前のサブフィールドの維持期間Ｓが、相対的に長いサブフィールドＳＦ１、ＳＦ５〜ＳＦ８の初期化期間Ｒ１、Ｒ５〜Ｒ８では、上記第２のタイプの初期化期間ＲＢが使われる。また、直前のサブフィールドの維持期間Ｓが、相対的に短いサブフィールドＳＦ２〜ＳＦ４の初期化期間Ｒ２〜Ｒ４では、上記第１のタイプの初期化期間ＲＡが使われる。
【００８１】
このように適切で効果的な初期化が行われることによって、放電ディスプレイ装置のコントラスト性能を増進させ、消費電力を低減させ、寿命を延ばすことができる。
【００８２】
次に、図１１を参照して、最大階調加重値を有する第８サブフィールドＳＦ８の初期化期間Ｒ８が第２のタイプの初期化期間ＲＢを使用するに、Ｙ電極ラインＹ１…Ｙｎに印加する電圧を、接地電圧ＶＧから第２電圧ＶＳまで、不連続に上昇させる駆動波形について説明する。（すなわち、第５期間ｔ６〜ｔ７が、不連続第２電圧上昇期間であった場合。）
【００８３】
図１１は、最大階調加重値を有する第８サブフィールドが第２のタイプの初期化期間ＲＢを使用する場合にＹ電極ラインに印加される変形された信号を示す波形図である。
【００８４】
図１１に示すように、最大階調加重値を有する第８サブフィールドＳＦ８の初期化期間Ｒ８が第２のタイプの初期化期間ＲＢを使用する場合に該当する、上記第２電圧上昇期間、つまり第２期間ｔ６〜ｔ７において、駆動電力をさらに低くするために、Ｙ電極ライン（図１のＹ１…Ｙｎ）に印加される電圧を第２電圧ＶＳまで不連続的に上昇させる。
【００８５】
より詳しく説明すると、第５期間ｔ６〜ｔ７（不連続第２電圧上昇期間）の間に、駆動電力の印加を中断する期間ｔ６Ａ〜ｔ６Ｂ（中断期間）が存在する。すなわち、第５期間ｔ６〜ｔ７（不連続第２電圧上昇期間）の間の、期間ｔ６Ａ〜ｔ６Ｂ（中断期間）において、Ｙ電極ラインＹ１…Ｙｎへの電圧印加を中断する。
【００８６】
これにより、最大階調加重値を有する第８サブフィールドＳＦ８の初期化動作が適切に行われる。なぜなら、第８サブフィールドＳＦ８の直前サブフィールドＳＦ７の維持放電期間Ｓ７が長くて、第８サブフィールドＳＦ８の開始時点（ｔ５）には過量の壁電荷が電極ライン周囲に形成されているからである。
【００８７】
すなわち、第８サブフィールドＳＦ８の直前の第７サブフィールドＳＦ７の維持放電による、上記過剰な壁電荷が、過剰な壁電圧を形成すると同時に、続く初期化期間Ｓ８での放電開始電圧を下げる。しかし、上記壁電圧と、第８サブフィールドＳＦ８の低くなった初期化駆動電力と、の和の電圧が、上記降下された放電開始電圧を上回ることによって、初期化のための放電が、適正におこなわれる。よって、強放電をおこさずに、適正な初期化放電がおこなわれ、続くアドレス期間Ａ８でのアドレス放電に最適な状態の壁電荷を形成することにより、初期化動作が適正におこなわれる。
【００８８】
このように最大階調加重値を有するサブフィールドＳＦ８での初期化動作が円滑に行われることによって、後続するアドレス期間Ａ８での動作がさらに正確になる。すなわち、最大階調加重値を有するサブフィールドＳＦ８での正確な動作状態によって映像の再現性が高まりうる。
【００８９】
ただし、中間期間としての第６期間ｔ７〜ｔ８（中断期間）と下降期間としての第７期間ｔ８〜ｔ１０（第４電圧下降期間）での波形は、図５の第２のタイプの初期化期間ＲＢのものと同一なので、その詳細な説明は省略する。
【００９０】
以上、添付図面を参照しながら本発明の好適な実施形態について説明したが、本発明は係る例に限定されないことはいうまでもない。当業者であれば、特許請求の範囲に記載された範疇内において、各種の変更例または修正例に想到し得ることは明らかであり、それらについても当然に本発明の技術的範囲に属するものと了解される。
【００９１】
例えば、上記実施形態では、放電ディスプレイパネルの駆動方法に適用したが、本発明は係る例に限定されない。例えば、時分割階調ディスプレイを行うあらゆる装置の駆動方法に適用可能である。
【産業上の利用可能性】
【００９２】
本発明は、放電ディスプレイパネルの駆動方法に適用可能である。
【図面の簡単な説明】
【００９３】
【図１】本発明の実施形態に係る放電ディスプレイパネルの一例である３電極面放電方式のＰＤＰの構成を示す内部斜視図である。
【図２】同実施形態に係るＰＤＰのディスプレイセルの例を示す断面図である。
【図３】同実施形態に係る放電ディスプレイパネルの駆動装置を示すブロック図である。
【図４】同実施形態に係る放電ディスプレイパネルの駆動方法を示すタイミング図である。
【図５】同実施形態に係るサブフィールド各々に、選択的に適用される駆動信号を示す波形図である。
【図６】同実施形態のｔ３時点でのディスプレイセルの壁電荷分布を示す断面図である。
【図７】同実施形態のｔ４時点でのディスプレイセルの壁電荷分布を示す断面図である。
【図８】同実施形態のｔ８時点でのディスプレイセルの壁電荷分布を示す断面図である。
【図９】同実施形態のｔ１０時点でのディスプレイセルの壁電荷分布を示す断面図である。
【図１０】一つのフレームの各サブフィールドで図５の２つタイプの初期化期間が適用される例を示す図面である。
【図１１】最大階調加重値を有する第８サブフィールドが第２のタイプの初期化期間ＲＢを使用する場合にＹ電極ラインに印加される変形された信号を示す波形図である。
【符号の説明】
【００９４】
１    プラズマディスプレイパネル
１０    前面ガラス基板、
１１、１５    誘電体層
１２    保護層
１３    背面ガラス基板
１４    放電空間
１６    蛍光層
１７    隔壁
６２    制御部
６３    アドレス駆動部
６４    Ｘ駆動部
６５    Ｙ駆動部
６６    映像処理部
ＡＲ１…ＡＢｍ    アドレス電極ライン
Ｘ１…Ｘｎ    Ｘ電極ライン
Ｙ１…Ｙｎ    Ｙ電極ライン
Ｘｎａ、Ｙｎａ    透明電極ライン
Ｘｎｂ、Ｙｎｂ    金属電極ライン
ＳＹ    Ｙ駆動制御信号
ＳＸ    Ｘ駆動制御信号
ＳＡ    アドレス駆動制御信号
ＳＦ１…ＳＦ８    サブフィールド
Ｒ１…Ｒ８    初期化期間
Ａ    アドレス期間
Ｓ    維持期間
ＶＧ    接地電圧
ＶＳＥＴ＋ＶＳ  第１電圧
ＶＳ    第２電圧
ＶＮＦ    第３電圧
ＶＳＥＴ    第５電圧
ＶＳＣ＿Ｈ    第６電圧
ＶＳＣ＿Ｌ    第７電圧
【図１】
2007133361.tif 000003
【図２】
2007133361.tif 000004
【図３】
2007133361.tif 000005
【図４】
2007133361.tif 000006
【図５】
2007133361.tif 000007
【図６】
2007133361.tif 000008
【図７】
2007133361.tif 000009
【図８】
2007133361.tif 000010
【図９】
2007133361.tif 000011
【図１０】
2007133361.tif 000012
【図１１】
2007133361.tif 000013